(57)【特許請求の範囲】
【請求項１】
中心軸周りに回転する版胴本体と、画像を転写する転写部が形成され、かつ、前記版胴本体の外周に着脱可能に装着されるスリーブ印刷版とを備える印刷版胴であって、
前記版胴本体の外周面には、前記中心軸を中心として円弧状に形成される凸部領域と、該凸部領域より径方向内方に窪んで形成される凹部領域と、が備えられ、前記凸部領域の前記中心軸周りの両側に、前記凹部領域がそれぞれ配置されており、
前記版胴本体に装着した前記スリーブ印刷版の前記転写部が、前記凸部領域に配置され、
前記スリーブ印刷版の前記転写部の画像が、レーザー加工で形成されており、
前記版胴本体に装着した前記スリーブ印刷版の前記転写部以外の部分が、前記凹部領域に配置されるとともに、前記転写部よりも径方向内方に窪んで配置されることを特徴とする印刷版胴。
【請求項２】
請求項１に記載の印刷版胴であって、
前記スリーブ印刷版の厚さが、０．５ｍｍ〜１．５ｍｍの範囲とされることを特徴とする印刷版胴。
【請求項３】
請求項１又は請求項２に記載の印刷版胴であって、
前記凹部領域は、前記版胴本体の外周面を切削加工して形成されており、前記凸部領域からその底面部分までの径方向の深さが０．５ｍｍ〜１．５ｍｍの範囲とされることを特徴とする印刷版胴。
【請求項４】
請求項１から請求項３のいずれか一項に記載の印刷版胴であって、
前記版胴本体の外周面には、複数の前記凸部領域と複数の前記凹部領域とが周方向に交互に配設されていることを特徴とする印刷版胴。
【請求項５】
請求項１から請求項４のいずれか一項に記載の印刷版胴であって、
前記凹部領域は、前記外周面の周方向両端に隣接する前記凸部領域よりも半径の大きな円弧状に形成されることを特徴とする印刷版胴。
【請求項６】
請求項１から請求項５のいずれか一項に記載の印刷版胴であって、
前記凸部領域と前記凹部領域とが、滑らかな曲面で接続されることを特徴とする印刷版胴。
【請求項７】
印刷版胴を用いて缶に印刷する印刷装置であって、
前記印刷版胴として、請求項１から請求項６のいずれか一項に記載の印刷版胴を用いたことを特徴とする缶の印刷装置。
【発明の詳細な説明】
【技術分野】
【０００１】
この発明は、中心軸周りに回転する版胴本体と、画像を転写する転写部が形成され、かつ、前記版胴本体の外周に着脱可能に装着されるスリーブ印刷版とを備える印刷版胴及び缶の印刷装置に関する。
【背景技術】
【０００２】
一般に、清涼飲料水等の容器として使用される２ピース缶は、缶蓋と円筒体の缶胴とからなり、缶胴は、ＤＩ（深絞り、しごき）加工及び洗浄がなされた後、その外面に印刷が施される。この缶胴の印刷に際しては、特許文献１及び特許文献２に示すような、オフセット印刷を用いた印刷装置が使用されている。
【０００３】
このような印刷装置は、略円柱状又は略円筒状をなし外周面に凸版等からなる印刷版を備えた複数の印刷版胴と、これら印刷版胴に同期して回転し外周面にゴム製のブランケットを配設したブランケット胴とを備えており、これら印刷版胴の印刷版とブランケット胴のブランケットとが接触するようになっている。そして、印刷版胴の印刷版にインキが塗布され、このインキがブランケットへと転写され、このブランケットが缶胴の外周面に接触することで、缶胴の外周面に印刷が施されるようになっている。
【０００４】
また、特許文献２においては、ブランケット胴とブランケットとの間にアンダーレイを挿入することにより、ブランケットの回転方向端縁が印刷版の表面に接触して該印刷版の表面を傷付けてしまうことを防止するとともに、ブランケット胴の外周面の周方向に隣り合うブランケット同士の間の部分（以下「非ブランケット部」とする）と印刷版との接触を防止して、非ブランケット部に印刷版上のインキが付着する所謂「地汚れ」の発生を防止している。
【０００５】
一方、近年では、外周面に印刷版を設けた円筒状からなるスリーブ印刷版を用い、該スリーブ印刷版の前記外周面にレーザー加工やエッチング加工による印刷デザイン（画像）を配し、スリーブ印刷版ごと印刷版胴に着脱可能とする技術が知られている。このような技術によれば、スリーブ印刷版の印刷版胴に対する位置調整が容易に精度よく行え、またスリーブ印刷版の交換（着脱）作業が簡便に行える。
【特許文献１】特開２００６−１８１７２７号公報
【特許文献２】特許第３６７４５００号公報
【発明の開示】
【発明が解決しようとする課題】
【０００６】
ところで、印刷版胴に装着されるスリーブ印刷版の外周面には、ブランケットに接触してインキを転写する転写部と、ブランケットに非接触の転写部以外の部分（非転写部）とが設けられる。
すなわち、スリーブ印刷版の外周面の転写部に画像を形成するとともに、該転写部以外の部分（非転写部）がブランケットに接触しないように削り、転写部よりも印刷版胴の径方向内方に窪ませて形成する必要があった。そのため、加工に時間がかかり作業効率が妨げられていた。
【０００７】
また、特許文献２の印刷装置では、前述の非ブランケット部と印刷版とは非接触になるものの、印刷版胴の外周面は常にインキの供給ロールと接触しているので、印刷版胴の転写部以外の部分に付着したインキが次第に蓄積し、該インキが印刷版胴の回転時の遠心力でブランケットに飛散し付着してしまい、缶胴の外周面に印刷不良を発生させることがあった。
【０００８】
また、印刷装置の運転時には、印刷版胴とその外周面に接触するブランケットとの摩擦熱等によって、印刷版の表面温度が次第に上昇し、これに伴いインキ温度が上昇してインキ粘度が低下する結果、インキの乗り・色合い等が変動し、印刷品質を低減させることがあった。
【０００９】
本発明は、上記課題を鑑みてなされたもので、印刷版胴のスリーブ印刷版の印刷デザインの加工を作業性よく行え、印刷版胴の外周面のインキの蓄積を防止して印刷不良の発生を抑え、運転中の印刷版胴を冷却可能な印刷版胴及び缶の印刷装置を提供することを目的とする。
【課題を解決するための手段】
【００１０】
前記目的を達成するために、本発明は以下の手段を提案している。
すなわち本発明は、中心軸周りに回転する版胴本体と、画像を転写する転写部が形成され、かつ、前記版胴本体の外周に着脱可能に装着されるスリーブ印刷版とを備える印刷版胴であって、前記版胴本体の外周面には、前記中心軸を中心として円弧状に形成される凸部領域と、該凸部領域より径方向内方に窪んで形成される凹部領域と、が備えられ、前記凸部領域の前記中心軸周りの両側に、前記凹部領域がそれぞれ配置されており、前記版胴本体に装着した前記スリーブ印刷版の前記転写部が、前記凸部領域に配置され、前記スリーブ印刷版の前記転写部の画像が、レーザー加工で形成されており、前記版胴本体に装着した前記スリーブ印刷版の前記転写部以外の部分が、前記凹部領域に配置されるとともに、前記転写部よりも径方向内方に窪んで配置されることを特徴とする。
【００１１】
本発明に係る印刷版胴によれば、印刷版胴の版胴本体の外周面には、凸部領域と凹部領域とが周方向に並んで設けられており、凸部領域の径方向外方にはスリーブ印刷版の転写部が配置される。版胴本体の凹部領域は、凸部領域に比べ径方向内方に窪んで形成されているので、凹部領域の径方向外方に配置されるスリーブ印刷版の外周面も窪み、印刷（転写）には用いられない。すなわち、従来のように、版胴本体に装着したスリーブ印刷版の外周面における転写部以外の部分を、削るなどして窪ませる必要がない。従って、版胴本体に装着したスリーブ印刷版の外周面の、径方向外方に突出した転写部に画像を形成するのみで加工が足り、加工時間が削減され作業性が向上する。
【００１２】
また、スリーブ印刷版の外周面の前記凹部領域に対応する部分は、径方向内方に窪んでいるため、印刷時に該スリーブ印刷版にインキを供給する供給ロール等からインキが供給されることがなく、転写部にのみインキが供給されるようになっている。よって、従来のように、前記外周面の周方向全体が常にインキの供給ロール等と接触し、印刷版胴の転写部以外の部分に付着したインキが次第に蓄積して、該インキが印刷版胴の回転時の遠心力でブランケット等に飛散し付着してしまい、印刷不良を発生させるようなことが防止されている。
【００１３】
さらに、前記外周面の転写部以外の部分と、インキが転写されるブランケット等の表面とが非接触となるので、例えば印刷に際し、前記外周面における転写部上のインキが、インキ垂れ等によって転写部以外の部分に付着したとしても、該インキがブランケット等の表面に付着することが防止されている。これにより、印刷される物品の外面に転写されるインキを、転写部とブランケット等との接触により該転写部からブランケット等の表面に転写されたインキに限定することが可能になり、印刷不良の発生を防ぐことができる。
【００１４】
また、このようにして印刷版胴の外周面に凹凸を設けた形状であるので、印刷時に、該印刷版胴が回転すると、凹凸形状が外周面近傍の空気を掻き込んで乱流を発生させ、周囲の気流を攪拌するようになっている。そして、空気の攪拌により印刷版胴の外周面が冷却され、該外周面のインキ温度の上昇が抑制されて、インキ粘度が安定し、印刷品質が精度よく確保されるようになっている。すなわち、連続運転時においても印刷精度が確保され、運転が安定して行えるので、例えば、冷却のためにわざわざ装置を停めるなどして生産効率を低下させてしまうことがない。
また、前記スリーブ印刷版の前記転写部の画像が、レーザー加工で形成されている。
本発明の印刷版胴によれば、スリーブ印刷版を中心軸周りに回転させながら、その外周面の転写部にレーザー加工を施して画像を形成するので、加工が簡便かつ短時間で行えるとともに、画像形成の精度が向上して印刷品質が高められる。
【００１５】
また、本発明の印刷版胴において、前記スリーブ印刷版の厚さが、０．５ｍｍ〜１．５ｍｍの範囲とされることとしてもよい。
本発明の印刷版胴によれば、スリーブ印刷版の厚さが、０．５ｍｍ〜１．５ｍｍの範囲に比較的薄く設定されているので、スリーブ印刷版を版胴本体の外周に装着した際に、該スリーブ印刷版が版胴本体の外周面の形状に沿うようにして密着して配設される。従って、印刷の精度が確保されるとともに、該スリーブ印刷版を版胴本体に着脱（交換）する作業を簡便かつ短時間で行うことができる。すなわち、スリーブ印刷版を版胴本体に着脱するにあたり、例えば版胴本体の内部から外周面に向けエアを噴出させながらエア圧を用いて行った場合に、該スリーブ印刷版がエアの圧力で径方向外方に膨らみやすく、また版胴本体とスリーブ印刷版との間にエア抜けの隙間が形成されにくいので、着脱が簡便に行える。
【００１６】
また、本発明の印刷版胴において、前記凹部領域は、前記版胴本体の外周面を切削加工して形成されており、前記凸部領域からその底面部分までの径方向の深さが０．５ｍｍ〜１．５ｍｍの範囲とされることとしてもよい。
本発明の印刷版胴によれば、外周面の凹部領域の深さが、０．５ｍｍ〜１．５ｍｍの範囲と比較的浅く設定されているので、スリーブ印刷版を版胴本体の外周に装着した際に、該スリーブ印刷版が版胴本体の外周面の形状に沿うようにして密着して配設される。従って、スリーブ印刷版を版胴本体に着脱する際のエア抜け等が防止され、作業を簡便かつ短時間で行うことができる。
【００１７】
また凹部領域の深さが、０．５ｍｍ以上に設定されているので、スリーブ印刷版を版胴本体に装着した際に、凹部領域の径方向外方に配置される転写部以外の部分は、凸部領域の径方向外方に配置される転写部よりも径方向内方に充分に窪んで形成される。従って、印刷時に転写部以外の部分にはインキが供給されず、転写部にのみインキが供給されるようになっている。よって、従来のように、スリーブ印刷版の外周面の周方向全体が常にインキの供給ロール等と接触し、印刷版胴の転写部以外の部分に付着したインキが次第に蓄積して、該インキが印刷版胴の回転時の遠心力でブランケット等に飛散し付着してしまい、印刷不良を発生させるようなことがない。
【００１８】
また、本発明の印刷版胴において、前記版胴本体の外周面には、複数の前記凸部領域と複数の前記凹部領域とが周方向に交互に配設されていることとしてもよい。
本発明の印刷版胴によれば、版胴本体の外周面には、複数の凸部領域と複数の凹部領域とが周方向に交互に並べられて配設されているので、印刷時に回転する印刷版胴の転写部が、インキの供給ロールやブランケット等に接触する際のタイミングがバランスよく設定されていて、振動を発生させにくいようになっている。また、凹部領域よりも径方向外方に突出して配置され回転時に遠心力を生じやすい凸部領域が、版胴本体の外周面に局部的に形成されることがないので、印刷版胴の回転時のバランスが精度よく確保されている。
【００１９】
また、本発明の印刷版胴において、前記凹部領域は、前記外周面の周方向両端に隣接する前記凸部領域よりも半径の大きな円弧状に形成されることとしてもよい。
本発明の印刷版胴によれば、凹部領域は凸部領域の半径よりも大きな半径を有する円弧状に形成されているので、版胴本体の外周にスリーブ印刷版を装着した際に、これら版胴本体の外周面とスリーブ印刷版の内周面との密着がより良くなり、印刷精度が確保されるとともに、スリーブ印刷版を版胴本体に着脱する際のエア抜け等が確実に防止されて作業効率が向上する。
【００２０】
また、本発明の印刷版胴において、前記凸部領域と前記凹部領域とが、滑らかな曲面で接続されることとしてもよい。
本発明の印刷版胴によれば、版胴本体の外周面とスリーブ印刷版の内周面との密着がより良くなり、印刷精度が確保されるとともに、スリーブ印刷版を版胴本体に着脱する際のエア抜け等が確実に防止される。
【００２２】
また本発明は、印刷版胴を用いて缶に印刷する印刷装置であって、前述の印刷版胴を用いたことを特徴としている。
本発明に係る缶の印刷装置によれば、印刷の精度及び生産性が向上して、多種多様な缶の印刷の要望に柔軟に対応することが可能である。
【発明の効果】
【００２３】
本発明に係る印刷版胴及び缶の印刷装置によれば、印刷版胴のスリーブ印刷版の印刷デザインの加工を作業性よく行え、印刷版胴の外周面のインキの蓄積を防止して印刷不良の発生を抑え、運転中の印刷版胴を冷却することが可能である。
【発明を実施するための最良の形態】
【００２４】
以下、図面を参照し、この発明の実施の形態について説明する。
図１は本発明の第１の実施形態に係る印刷版胴を用いた缶の印刷装置を示す概略図、図２は本発明の第１の実施形態に係る印刷版胴を示す概略斜視図、図３は本発明の第１の実施形態に係る印刷版胴を示す概略正面図である。
【００２５】
本実施形態の印刷版胴１５は、被印刷体として飲料缶等を対象とする缶の印刷装置１０に配設される。また、缶の印刷装置１０の印刷の種類としては、凸版印刷、例えばオフセット印刷若しくは低印圧で印刷可能なフレキソ印刷が採用されている。
【００２６】
図１に示すように、この缶の印刷装置１０は、インキ付着機構１１と、缶移動機構２１とを有している。
インキ付着機構１１は、インキの色毎に設けられるインカーユニット１１ａ〜１１ｆと、各インカーユニット１１ａ〜１１ｆから転写されたインキをサイズコート膜が形成されたＤＩ缶５０の外周面に転写する複数のブランケット１２ａが設けられたブランケット胴１２とを備えている。
【００２７】
インカーユニット１１ａ〜１１ｆは、インキ源１３と、ロールユニット１４と、外周にスリーブ印刷版２を配した印刷版胴１５とを備えている。ロールユニット１４は、インキ源１３からインキが供給されるダクティングロール１４ａと、ゴム等の弾性材により形成されてスリーブ印刷版２の外周面にインキを供給する供給ロール１４ｃと、ダクティングロール１４ａから供給ロール１４ｃにインキを受け渡す中間ロール１４ｂとを備えている。
【００２８】
なお、ブランケット胴１２、印刷版胴１５および供給ロール１４ｃは、各軸線が互いに平行となるように延在し、また、印刷版胴１５の外周面がブランケット胴１２の外周面および供給ロール１４ｃの外周面により挟み込まれるようにして配置されている。また、ブランケット胴１２及び印刷版胴１５は、該印刷版胴１５のスリーブ印刷版２が、ブランケット１２ａの表面に接触し、かつブランケット胴１２の外周面のうちブランケット１２ａが設けられていない部分（以下、「非ブランケット部」という）１２ｂに非接触となるように、各軸線回りに同期して回転可能に支持されている。
【００２９】
また、缶移動機構２１は、ＤＩ缶５０を装置に取り込む缶シュータ２２と、缶シュータ２２から供給されたＤＩ缶５０を回転自在に保持するマンドレル２３と、マンドレル２３に装着されたＤＩ缶５０を装着順にインキ付着機構１１に向けて順次回動させるマンドレルターレット２４とを備えている。
オーバーコート加工機構３１は、ブランケット１２ａからインキのパターンが転写されたＤＩ缶５０の外周面にオーバーコート塗料を塗装するロールコータ３２を備えている。
【００３０】
また、図２に示すように、印刷版胴１５は、略円柱状又は略円筒状の鋼材等からなり中心軸Ｃ周りに回転する版胴本体１と、略円筒状の樹脂材料等からなり該版胴本体１の外周に装着されるスリーブ印刷版２とを備えている。そして、スリーブ印刷版２の外周面に直接レーザー加工を施して画像を形成し、スリーブ印刷版２ごと印刷版胴１５の外周に着脱（交換）可能とするＣＴＳなる技術を用いている。
また、印刷版胴１５は、例えばその外径がφ２００ｍｍ程度、中心軸Ｃ方向の長さが略１９０ｍｍ程度とされ、回転数が８００ｒｐｍ以下に設定される。
【００３１】
版胴本体１は、外周面に複数の凸部（凸部領域）３及び複数の凹部（凹部領域）４を備えている。凸部３は、その中心軸Ｃに直交する断面の形状が、該中心軸Ｃを中心とした円弧状からなり、版胴本体１の外径とされている。また、凹部４は、凸部３に周方向に隣接して配置されるとともに、該凸部３よりも径方向内方に窪んで形成され、中心軸Ｃを中心とする円弧状からなる。また凹部４は、版胴本体１の外周面の周方向に配設される凸部３同士の間を切削加工して形成されている。これら凸部３及び凹部４は、夫々版胴本体１の中心軸Ｃ方向に延びて形成されており、また版胴本体１の周方向に交互に並べられている。
【００３２】
図３に示すように、複数の凸部３は、版胴本体１の外周面に周方向均等に配設され、その中心軸Ｃからの距離（半径）が夫々Ｒ１とされている。また、複数の凹部４も、版胴本体１の外周面に周方向均等に配設されており、その中心軸Ｃからの距離（半径）が夫々Ｒ２とされている。また、凹部４の周方向の両端部分は、その隣接する凸部３の端縁に滑らかに繋がるようにして曲面で接続されている。また、凸部３の半径Ｒ１は、凹部４の半径Ｒ２よりも大きな値に設定されていて、半径Ｒ１と半径Ｒ２との差Ｄ１は、０．５ｍｍ〜１．５ｍｍの範囲とされる。すなわち、凸部３から凹部４の底面部分までの径方向の深さがＤ１とされていて、該Ｄ１が前述の範囲内に設定される。
【００３３】
また、スリーブ印刷版２は、その肉厚（厚さ）ｔが、０．５ｍｍ〜１．５ｍｍの範囲に設定され、比較的薄く形成されている。また、スリーブ印刷版２の内径は、版胴本体１の外径と略同一又は若干小さく設定されている。そして、スリーブ印刷版２を版胴本体１の外周に装着した状態で、該スリーブ印刷版２の内周面は版胴本体１の外周面に周方向全体に亘り密着して配設されるようになっている。またスリーブ印刷版２を版胴本体１の外周に装着するにあたっては、作業を簡便に行うため、例えば版胴本体１の内部から外周面に向けエアを噴出させ、エア圧によりスリーブ印刷版２を径方向外方に僅かに膨らませた状態で、これら版胴本体１とスリーブ印刷版２とを中心軸Ｃ方向に相対移動して挿入すればよい。
【００３４】
また、このようにして版胴本体１の外周に装着されたスリーブ印刷版２の外周面には、その径方向内方に配置される凸部３と凹部４とに対応して、径方向外方に突出した部分と径方向内方に窪んだ部分とが周方向に交互に形成されている。そして、凸部３に対応して突出した部分が転写部５とされ、該転写部５にレーザー加工を施して印刷デザイン（画像）が形成される。
【００３５】
ここで、レーザー加工条件としては、例えばＣＯ２レーザーを用い、波長２．５〜１１μｍ、出力１００〜５００Ｗで行うことが好ましく、本実施形態では、波長１０．６μｍ、出力２００Ｗとし、加工時のスリーブ印刷版２の回転数を５２０ｒｐｍとした。
また、レーザー加工を施す範囲は、スリーブ印刷版２の外周面において、中心軸Ｃを中心として転写部５の配置される角度範囲をθ°とした場合に、θ＋１０°程度に設定されることが好ましい。すなわち、転写部５の周方向端縁部分を含めてレーザー加工を施すことによって、ブランケット１２ａに転写される画像の精度がより向上する。
【００３６】
また、スリーブ印刷版２の外周面において、凹部４に対応する部分は該スリーブ印刷版２の転写部５よりも径方向内方にＤ２だけ窪んで配置されており、この寸法Ｄ２が、前述のＤ１と略同一寸法とされている。そして、この凹んで形成される転写部５以外の部分が、非転写部６とされている。すなわち、非転写部６の底面部分は、転写部５よりも径方向内方に寸法Ｄ２だけ窪んで形成されている。
【００３７】
このように構成される印刷版胴１５を中心軸Ｃ周りに回転させると、図３（ａ）の状態では、スリーブ印刷版２の外周面の転写部５が、供給ロール１４ｃの外周面と、ブランケット胴１２のブランケット１２ａの外周面とに夫々接触している。また、スリーブ印刷版２の外周面の夫々の非転写部６は、供給ロール１４ｃ及びブランケット１２ａに接触していない。
【００３８】
次いで、図３（ｂ）に示すように、さらに印刷版胴１５を中心軸Ｃ周りに９０°程度回転させた状態では、印刷版胴１５の外周面は、供給ロール１４ｃにもブランケット１２ａにも接触していない。すなわち、印刷版胴１５の外周面の供給ロール１４ｃ及びブランケット１２ａに対向する部分には夫々の非転写部６が配置されているが、供給ロール１４ｃ及びブランケット１２ａと夫々の非転写部６との間には、寸法Ｄ２だけ間隙が設けられていて、非接触とされている。
【００３９】
このような構成とされた缶の印刷装置１０は、以下のようにしてＤＩ缶５０の外周面に印刷を行う。
まず、各インカーユニット１１ａ〜１１ｆにおいて、各色のインキがインキ源１３からロールユニット１４を介して印刷版胴１５のスリーブ印刷版２の転写部５に塗布され、次いで、これら各色のインキが、転写部５からブランケット胴１２に設けられた個々のブランケット１２ａの表面にパターンとして転写されることによって、このブランケット１２ａの表面にＤＩ缶５０の外周面に印刷される図柄等が形成される。
【００４０】
一方、サイズコート膜の形成されたＤＩ缶５０は、缶シュータ２２からマンドレル２３に渡され、該マンドレル２３により回転自在に支持される。次いで、ＤＩ缶５０の外周面が、マンドレルターレット２４によって前記インキの転写されたブランケット１２ａの表面に圧接されて前記図柄等が印刷される。
【００４１】
次いで、ＤＩ缶５０はオーバーコート加工機構３１に渡され、ロールコータ３２により前記印刷されたＤＩ缶５０の外周面全域にオーバーコート塗料が塗布される。そして、これを焼付け乾燥させることで外面塗装膜が形成される。
【００４２】
以上説明したように、本実施形態の印刷版胴１５及び缶の印刷装置１０によれば、ＤＩ缶５０の外周面に印刷パターンを印刷するに際し、スリーブ印刷版２の非転写部６と供給ロール１４ｃの外周面とを非接触にしているので、供給ロール１４ｃ上のインキが非転写部６に付着することを防止している。
【００４３】
さらに、非転写部６とブランケット１２ａの表面とも非接触にしているので、例えば印刷に際し、スリーブ印刷版２の表面において転写部５上のインキの垂れ等により非転写部６にインキが付着したとしても、このインキがブランケット１２ａの表面に付着することを防止している。
すなわち、ブランケット胴１２からＤＩ缶５０の外周面に転写されるインキを、スリーブ印刷版２の転写部５とブランケット１２ａとの接触により転写されたインキに限定することが可能になり、印刷不良が防止される。
【００４４】
また、従来のように、スリーブ印刷版の外周面の周方向全体が常にインキの供給ロール１４ｃと接触し、印刷版胴の転写部以外の部分（非転写部）に付着したインキが次第に蓄積して、該インキが印刷版胴の回転時の遠心力でブランケット１２ａに飛散し付着してしまい、印刷不良を発生させるようなことが防止されている。
【００４５】
また、版胴本体１に装着されたスリーブ印刷版２の外周面が、該版胴本体１の凸部３によって部分的に径方向外方に突出して転写部５とされており、この転写部５の表面に対してレーザー加工を施すことにより印刷デザイン（画像）が形成されている。そして、転写部５以外の部分である非転写部６は、予め版胴本体１の凹部４に対応して窪んでいるので、従来のように、非転写部６を窪ませて形成するためにレーザー加工等を施す必要がない。よって、スリーブ印刷版２の印刷デザインを、簡便に短時間で作業性よく形成することができる。
【００４６】
また、スリーブ印刷版２の厚さｔが、０．５ｍｍ〜１．５ｍｍの範囲に比較的薄く設定されているので、スリーブ印刷版２を版胴本体１の外周に装着した際に、該スリーブ印刷版２が版胴本体１の外周面の形状に沿うようにして、密着して配設される。従って、印刷の精度が確保されるとともに、該スリーブ印刷版２を版胴本体１に着脱する作業を簡便かつ短時間で行うことができる。すなわち、スリーブ印刷版２を版胴本体１に着脱するにあたり、版胴本体１の内部から外周面に向けエアを噴出させながらエア圧を用いて行った場合に、該スリーブ印刷版２がエアの圧力で径方向外方に膨らみやすく、また版胴本体１とスリーブ印刷版２との間にエア抜けの隙間が形成されにくい。
【００４７】
また、版胴本体１の外周面の凹部４は、該外周面を切削加工して形成されており、凸部３から該凹部４の底面部分までの径方向の深さＤ１が０．５ｍｍ〜１．５ｍｍの範囲と比較的浅く設定されているので、スリーブ印刷版２を版胴本体１の外周に装着した際に、該スリーブ印刷版２が版胴本体１の外周面の形状に沿うようにして、より密着して配設される。従って、スリーブ印刷版２を版胴本体１に着脱する際のエア抜け等が確実に防止され、作業効率が向上する。
【００４８】
また、凹部４の深さＤ１が０．５ｍｍ以上に設定されているので、スリーブ印刷版２を版胴本体１に装着した際に、凹部４の径方向外方に配置される非転写部６は、凸部３の径方向外方に配置される転写部５よりも径方向内方に充分に窪んで形成されている。よって、従来のように、スリーブ印刷版の凹凸のない外周面の周方向全体が常にインキの供給ロール１４ｃと接触し、印刷版胴の非転写部に付着したインキが次第に蓄積して、該インキが印刷版胴の回転時の遠心力でブランケット１２ａに飛散し付着してしまい、印刷不良を発生させるようなことがない。
【００４９】
また、版胴本体１の外周面には、複数の凸部３と複数の凹部４とが周方向に交互に並べられて配設されているので、印刷時に回転する印刷版胴１５の夫々の転写部５が、インキの供給ロール１４ｃやブランケット１２ａに接触する際のタイミングがバランスよく設定されており、振動を発生させにくいようになっている。すなわち、印刷版胴１５を間に挟んで供給ロール１４ｃとブランケット１２ａとが対向して配置されており、印刷版胴１５の外周面の夫々の転写部５が、供給ロール１４ｃとブランケット１２ａとに略同時に接触するタイミングとされている。よって、印刷版胴１５が供給ロール１４ｃ又はブランケット１２ａのいずれか一方のみに接触し他方の側へと押圧されるようなことが防止されていて、振動の発生が抑制されている。
【００５０】
また、凹部４より径方向外方に突出して配置され回転時に遠心力を生じやすい凸部３が、版胴本体１の外周面の周方向不均等に局部的に形成されずに、周方向均等に配設されていることによって、印刷版胴１５の回転時のバランスが精度よく確保されている。
【００５１】
また、印刷版胴１５の外周面は、径方向外方に突出する転写部５と径方向内方に窪む非転写部６とからなる凹凸形状が周方向に交互に並ぶ構成であるので、印刷時に、該印刷版胴１５が回転すると、凹凸形状が外周面近傍の空気を掻き込んで乱流を発生させ、周囲の気流を攪拌するようになっている。従って、空気の攪拌により印刷版胴１５の外周面が冷却され、該外周面の転写部５のインキ温度の上昇が抑制されてインキ粘度が安定し、印刷品質が精度よく確保されるようになっている。すなわち、連続運転時においても印刷精度が確保され、運転が安定して行えるので、例えば、冷却のためにわざわざ装置を停めるなどして生産効率を低下させてしまうようなことがない。
【００５２】
また、このような効果を奏功する印刷版胴１５を用いた缶の印刷装置１０であるので、印刷の精度及び生産性が向上して、多種多様な缶の印刷の要望に柔軟に対応することが可能である。
【００５３】
次に、本発明の第２の実施形態について説明する。
図４は、本発明の第２の実施形態に係る印刷版胴を示す概略正面図である。
尚、前述の第１の実施形態の印刷版胴１５と同一部材には同一符号を付し、その説明を省略する。
【００５４】
図４に示すように、本実施形態の印刷版胴２５の版胴本体４１は、外周面に複数の凸部（凸部領域）４３及び複数の凹部（凹部領域）４４を備えている。凸部４３は、その中心軸Ｃに直交する断面の形状が、該中心軸Ｃを中心とした円弧状からなり、版胴本体４１の外径とされている。また、凹部４４は、凸部４３に周方向に隣接して配置されるとともに、該凸部４３よりも径方向内方に窪んで形成され、軸Ｃ２を中心とする円弧状からなる。軸Ｃ２は、中心軸Ｃと平行に延在し、該軸Ｃ２を半径中心とする凹部４４との間に中心軸Ｃを配置している。また凹部４４は、版胴本体４１の外周面の周方向に配設される凸部４３同士の間を切削加工して形成されている。これら凸部４３及び凹部４４は、夫々版胴本体４１の中心軸Ｃ方向に延びて形成されており、また版胴本体４１の周方向に交互に並べられている。
【００５５】
また、複数の凸部４３は、版胴本体４１の外周面に周方向均等に配設され、その中心軸Ｃからの距離（半径）が夫々Ｒ４１とされている。また、複数の凹部４４も、版胴本体４１の外周面に周方向均等に配設されており、その中心軸Ｃを挟んで対向配置される夫々の軸Ｃ２までの距離（半径）がＲ４２とされている。また、凹部４４の周方向の両端部分は、その隣接する凸部４３の端縁に滑らかに繋がるようにして曲面で接続されている。また、凹部４４の半径Ｒ４２は、凸部４３の半径Ｒ４１よりも大きな値に設定されている。また、凸部４３から凹部４４の底面部分までの径方向の深さがＤ４１とされていて、該Ｄ４１が、０．５ｍｍ〜１．５ｍｍの範囲に設定されている。
【００５６】
また、スリーブ印刷版４２は、その肉厚（厚さ）ｔが、０．５ｍｍ〜１．５ｍｍの範囲に設定され、比較的薄く形成されている。また、スリーブ印刷版４２の内径は、版胴本体４１の外径と略同一又は若干小さく設定されている。そして、スリーブ印刷版４２を版胴本体４１の外周に装着した状態で、該スリーブ印刷版４２の内周面は版胴本体４１の外周面に周方向全体に亘り密着して配設される。
【００５７】
また、このようにして版胴本体４１の外周に装着されたスリーブ印刷版４２の外周面には、その径方向内方に配置される凸部４３と凹部４４とに対応して、径方向外方に突出した転写部５と径方向内方に窪んだ被転写部６とが周方向に交互に形成されている。そして、凸部４３に対応して突出した転写部５に、レーザー加工が施されて画像が形成される。
【００５８】
また、スリーブ印刷版４２の外周面において、非転写部６の底面部分は、転写部５よりも径方向内方にＤ４２だけ窪んで配置されており、この寸法Ｄ４２が、前述のＤ４１と略同一寸法とされる。
【００５９】
このように構成される印刷版胴２５を中心軸Ｃ周りに回転させると、図４（ａ）の状態では、スリーブ印刷版４２の外周面の転写部５が、供給ロール１４ｃの外周面と、ブランケット胴１２のブランケット１２ａの外周面とに夫々接触している。また、スリーブ印刷版４２の外周面の夫々の非転写部６は、供給ロール１４ｃ及びブランケット１２ａに接触していない。
【００６０】
次いで、図４（ｂ）に示すように、さらに印刷版胴２５を中心軸Ｃ周りに９０°程度回転させた状態では、印刷版胴２５の外周面は、供給ロール１４ｃにもブランケット１２ａにも接触していない。すなわち、印刷版胴２５の外周面の供給ロール１４ｃ及びブランケット１２ａに対向する部分には夫々の非転写部６が配置されているが、供給ロール１４ｃ及びブランケット１２ａと夫々の非転写部６との間には、寸法Ｄ４２だけ間隙が設けられていて、非接触とされている。
【００６１】
以上説明したように、本実施形態の印刷版胴２５によれば、前述の第１の実施形態の印刷版胴１５において説明した効果と同様の効果を奏功する。
また、凹部４４は、その周方向両端に隣接する凸部４３の端縁に滑らかに繋がるようにして円弧状をなし、凸部４３の半径Ｒ４１よりも大きな半径Ｒ４２で形成されているので、版胴本体４１の外周にスリーブ印刷版４２を装着した際に、これら版胴本体４１の外周面とスリーブ印刷版４２の内周面との密着がより良くなり、スリーブ印刷版４２を版胴本体４１に着脱する際のエア抜け等が確実に防止されて、作業効率が向上する。
【００６２】
尚、本発明は前述の第１、第２の実施形態に限定されるものではなく、本発明の趣旨を逸脱しない範囲において種々の変更を加えることが可能である。
例えば、第１、第２の実施形態では、凹部４，４４の中心軸Ｃに直交する断面形状を、中心軸Ｃを中心とした円弧状又は軸Ｃ２を中心とした円弧状であることとして説明したが、凹部４，４４は、凸部３，４３よりも版胴本体１，４１の径方向内方に窪んで形成されていればよく、その形状を限定するものではない。
すなわち、凹部４，４４は、本実施形態のように必ずしも円弧状である必要はなく、例えば、凸部３，４３同士を繋ぐ直線状であったり、中心軸Ｃに向かって窪む凹溝状であったりしても構わない。
【００６３】
また、版胴本体１，４１の外周面に設けられる凸部３，４３又は凹部４，４４の数量は、本実施形態に限定されるものではない。
また、スリーブ印刷版２，４２に印刷デザインを形成するためのレーザー加工条件は、本実施形態に限定されることはなく、版材の材質や形成する画像のパターン形状等を考慮して適宜設定することが好ましい。
【００６４】
また、本実施形態ではスリーブ印刷版２，４２に画像を形成するためにレーザー加工を用いることとして説明したが、本発明の参考例として、例えば、予めエッチング加工等により画像を形成したシート状の印刷版を用いて、該印刷版を円筒状のスリーブ部材の外周面に取り付けスリーブ印刷版とし、該スリーブ印刷版を版胴本体１，４１の外周に装着し、該スリーブ印刷版の画像の部分を凸部３，４３の径方向外方に対応する位置に配置して、転写部５としても構わない。
【図面の簡単な説明】
【００６５】
【図１】本発明の第１の実施形態に係る印刷版胴を用いた缶の印刷装置を示す概略図である。
【図２】本発明の第１の実施形態に係る印刷版胴を示す概略斜視図である。
【図３】本発明の第１の実施形態に係る印刷版胴を示す概略正面図である。
【図４】本発明の第２の実施形態に係る印刷版胴を示す概略正面図である。
【符号の説明】
【００６６】
１，４１  版胴本体
２，４２  スリーブ印刷版
３，４３  凸部（凸部領域）
４，４４  凹部（凹部領域）
５  転写部（画像）
１０  缶の印刷装置
１５，２５  印刷版胴
Ｃ  中心軸
Ｄ１，Ｄ４１  凸部領域から凹部領域の底面部分までの径方向の深さ
Ｒ１，Ｒ４１  凸部領域の半径
Ｒ２，Ｒ４２  凹部領域の半径
ｔ  スリーブ印刷版の厚さ
【図１】
0005097594.tif 000002
【図２】
0005097594.tif 000003
【図３】
0005097594.tif 000004
【図４】
0005097594.tif 000005